(57)【特許請求の範囲】
【請求項１】
ビデオテープレコーダの動作情報を取得する動作情報取得手段と、この動作情報取得手段にて取得された情報に基づいてメッセージを判別するメッセージ判別手段と、判別されたメッセージの音声出力を行う音声出力手段と、を備えたことを特徴とする操作ガイド装置において、
メッセージの音声出力有効／無効を制御する制御手段と、ビデオテープレコーダに接続されたモニターのＯＮ／ＯＦＦを検出するモニター検出手段とをさらに備え、モニターのＯＦＦが検出されたときメッセージの音声出力を有効にすること特徴とする操作ガイド装置。
【請求項２】
前記操作ガイドはビデオテープレコーダ付きテレビに用いられることを特徴とする請求項１記載の操作ガイド装置。
【発明の詳細な説明】
【０００１】
【産業上の利用分野】
この発明は、ビデオテープレコーダの操作に不慣れなユーザーでも所望の操作が誤りなく行えるようにガイドする操作ガイド装置に関する。
【０００２】
【従来の技術】
従来より、ビデオテープレコーダの動作状況をユーザーに提示するために、ビデオテープレコーダがオンスクリーンディスプレイ機能を用いてメッセージ文字情報を生成し、このメッセージ文字情報をビデオ信号ラインを通じてモニター（テ
レビ）に供給し、モニター画面上にメッセージ文字を表示させるようにした技術が知られている。例えば、ビデオテープレコーダのリモコンに設けられているメニューボタンを押すと、モニター画面上に、現在の受信チャンネル番号、テープ走行状態、テープ位置、再生スピード（通常速／３倍速）、或いはＣＭカットの有効／無効状態などが表示される。ユーザーは、この画面表示を見ることによって、例えば、ＣＭカット有効で録画しようとしていたのに、ＣＭカット無効の状態であることに気が付くことになる。
【０００３】
【発明が解決しようとする課題】
しかしながら、上記従来の技術では、モニターのスイッチを入れて画面表示が行われる状態にしないと、上記メッセージ文字情報をユーザーは得ることができないという不満がある。通常は、ビデオテープレコーダを操作するときには、モニターはＯＮされているので、上記のような不満はあまりないとも言えるが、ビデオテープレコーダにおいて予約録画操作などを行うときには、必ずしもモニターをＯＮしている必要はなく、このような場合において動作確認のために一々モニターをＯＮするのでは、使用上とても不便である。
【０００４】
この発明は、上記の事情に鑑み、モニターの画面表示の機能によらずにビデオテープレコーダの操作ガイドが行える操作ガイド装置を提供することを目的とする。
【０００５】
【課題を解決するための手段】
この発明の操作ガイド装置は、ビデオテープレコーダの動作情報を取得する動作情報取得手段と、この動作情報取得手段にて取得された情報に基づいてメッセージを判別するメッセージ判別手段と、判別されたメッセージの音声出力を行う音声出力手段と、を備えたことを特徴とする。
【０００６】
上記の構成であれば、ビデオテープレコーダの動作に関するメッセージ、例えば、「ＣＭカットで録画します」、「３倍速で録画します」、「予約録画を受け付けました」などのメッセージがユーザーに与えられるので、操作に不慣れなユーザーでも所望の操作が誤りなく行える。そして、文字表示ではなくて音声で行われるから、モニターの画面表示の機能によらずにメッセージをユーザーに伝えることができ、メッセージ取得のために一々モニターをＯＮするといった煩わしさがなくなる。
【０００７】
ここで、例えば前述の「予約録画を受け付けました」という音声ガイドが出されたのに、ユーザーが誤って爪折れカセットテープをセットしていたのでは録画は行われないことになってしまう。
【０００８】
上記の動作情報取得手段は、ユーザーから指令された操作をビデオテープレコーダが実行する上で障害となる事項を検査して情報を取得するように構成され、メッセージ判別手段は、障害となる事項に対応してメッセージを判別するように構成されているのがよい。
【０００９】
これによれば、例えば、前述のごとく、誤って爪折れカセットテープをセットしていた場合、録画操作の障害となる爪折れが検出され、この爪折れに対応して「テープの爪が折れていますテープを交換して下さい」といったメッセージが選択されて発声されることになる。勿論、このような録画操作以外の操作を実行する場合にも適切な音声ガイドが行われ得る。
【００１０】
上記の動作情報取得手段は、映像信号の有無情報を取得するように構成され、メッセージ判別手段は、映像信号無しを示す情報を受けたときに無信号時用に用意されたメッセージを選択するように構成されているのがよい。
【００１１】
これによれば、例えば、ダビングにおいて、他のビデオテープレコーダから映像信号が送られてきていないような場合には無信号が検出され、この無信号に対応して「無信号です」といったメッセージが選択されて発声されることになる。勿論、このような場合以外の無信号状態においても適切な音声ガイドが行われ得る。
【００１２】
メッセージの音声出力有効／無効を制御する制御手段を備えるのがよい。音声ガイドが煩わしいと思うユーザーは、例えばリモコン操作で音声発生を無効にすることができる。また、前記制御手段は、モニターがＯＦＦされているときにメッセージの音声出力を有効にする構成としてもよい。これによれば、モニターがＯＦＦされているときには音声メッセージによるガイドを行い、モニターがＯＮされているときには文字メッセージによるガイドを行うといった制御も可能になる。
【００１３】
また、この発明の操作ガイド装置は、ビデオテープレコーダの動作情報を取得して記憶していく動作情報記憶手段と、この動作情報記憶手段に記憶されている情報をその取得順が分かるようにしてユーザーに伝える情報提示手段と、を備えたことを特徴とする。上記の情報提示手段は、動作情報記憶手段に記憶されている情報に基づいてメッセージを判別するメッセージ判別手段と、判別されたメッセージの音声出力を行う音声出力手段と、から成るのがよい。
【００１４】
かかる構成であれば、ビデオテープレコーダの動作に関して過去の幾つかの情報がその前後関係を明らかにされて音声等により提示されるので、過去にどのような操作が行われたか、或いはどのような操作が行われた段階で不具合が生じたか等が分かり、故障の原因を知り得たり、或いは故障と思われても実際には故障ではなかったといったことも分かる利点がある。
【００１５】
【発明の実施の形態】
以下、この発明の実施形態を図１乃至図１８に基づいて説明する。
【００１６】
図１はこの実施形態の操作ガイド装置が組み込まれたビデオテープレコーダにおけるマイクロコンピュータ２０の処理機能をブロック化して示すとともに、各機能ブロックとそのブロックに入力される信号との関係を明らかにしている。マイクロコンピュータ２０は、ＲＯＭやＲＡＭなどの記憶回路、ＣＰＵ、及びＩ／Ｏ回路などで構成されており、前記ＲＯＭに格納された各制御用の制御プログラム及びこれらプログラムを実行するＣＰＵによって各機能ブロックが実現されるものであり、各機能ブロックと各信号とのやり取りは上記Ｉ／Ｏ回路にて実現されるものである。そして、各信号は図示しない各種センサーによって取得されたり、操作部（操作パネルやリモートコントローラ）の操作によって得られるものである。
【００１７】
機能ブロック４〜１３は、ビデオテープレコーダの動作情報を取得する動作情報取得手段を構成している。この動作情報取得手段は、ユーザーから指令された操作をビデオテープレコーダが実行する上で障害となる事項を検査して情報を取得すること、映像信号の有無情報を取得すること、及びその他の情報を取得することを行う。
【００１８】
障害検査情報取得にかかわる機能ブロックとしては、テープ検出部６、モード判別部７、タイマー予約処理部（予約の設定・実行処理）９、及びテープ残量判別部１３がある。例えば、モード判別部７にて録画キーが押されたことが判別されると、テープ検出部６にてカセットの有無や爪折れなどが検査されてその情報が取得されることになる。無信号情報取得にかかわる機能ブロックとしては、無信号検出部４がある。その他の情報取得にかかる機能ブロックとしては、ヘッド汚れ判別部５、電源ＯＮ／ＯＦＦ判別部８、リモコン処理部（コード設定・時計設計・電池消耗判別）１０、ＢＳアンテナ短絡判別部１１、及び停電処理部１２がある。これらの機能ブロックによる処理については、後でフローチャートを用いて説明する。
【００１９】
メッセージ判別部３は、動作情報取得手段である各機能ブロックから提供された情報に基づいてメッセージを判別する。例えば、カセットテープが挿入されていないという情報が提供されたときには、「カセットを入れて下さい」というメッセージを選択し、無信号という情報が提供されたときには、「無信号です」というメッセージを選択する。その構造例としては、上記の提供される情報とメッセージを特定するコードとを対応付けたテーブル構造が考えられる。
【００２０】
音声合成制御部２は、選択されたメッセージに含まれる単語や語尾などの編集処理を行い、この編集データ（音声合成用データ）を出力する。例えば、「無信号です」というメッセージであれば、「無信号」と「です」をそれぞれ示すデータをその並びに対応させて出力する。出力された編集データは、ＯＮ／ＯＦＦ制御部１を経て音声合成ＩＣ１４に送られる。ＯＮ／ＯＦＦ制御部１は、音声発生の有効／無効制御、すなわち案内音声ＯＮ／ＯＦＦ信号に基づいて上記編集データを音声合成ＩＣ１４に送るか否かを制御する。案内音声ＯＮ／ＯＦＦ信号はユーザーによるリモコン操作等によって送出される。音声合成ＩＣ１４は、人の発声した単語や語尾など（「無信号」や「です」などの発声）を圧縮符号化した符号化データを保有しており、音声合成制御部２から送られた編集データに基づき、符号化データの選択とその復号および音声信号化処理（Ｄ／Ａ変換）を行う。アンプ１５は出力された音声信号を増幅してスピーカ１６に与える。スピーカ１６によって音声が出力される。スピーカ１６はビデオテープレコーダ自体に設けられたものである。
【００２１】
なお、メッセージの音声出力の手法として、上記手法の他、例えば、音声合成制御部がメッセージを構成する文字列（キャラクタコード）を生成して音声合成手段に出力し、音声合成手段が文字列を音韻単位に分割し対応波形を選択してアンプに出力するといった手法等を採用してもよい。更には、オンスクリーンディスプレイ（ＯＳＤ）機能によって生成される文字列を音声合成手段が受け取り、この音声合成手段が文字列を音韻単位に分割し対応波形を選択してアンプに出力するといった手法を採用してもよい。
【００２２】
次に、図２乃至図６のフローチャートに基づいて障害検査情報による音声ガイド処理について説明していく。
【００２３】
図２に示すように、再生キー、巻戻しキー、或いは早送りキーが操作されると（ステップＳ１）、プレーヤ内にカセットテープが挿入されているかどうかを判断する（ステップＳ２）。カセットテープが挿入されていない場合は、「カセット未挿入」を発声する（ステップＳ３）。カセットテープが挿入されている場合は、発声せずに通常処理に戻る。
【００２４】
図３に示すように、録画キーが操作されると（ステップＳ４）、プレーヤ内にカセットテープが挿入されているかどうかを判断する（ステップＳ５）。カセットテープが挿入されていない場合は、「カセット未挿入」を発声する（ステップＳ６）。カセットテープが挿入されている場合は、爪が折れているかどうかを判断する（ステップＳ７）。爪が折れている場合は、「カセット確認」を発声する（ステップＳ８）。爪が折れていない場合は発声せずに通常処理に戻る。
【００２５】
図４に示すように、タイマー予約の設定操作が実施されると（ステップＳ９）、
タイマー予約が満杯かどうかを判断する（ステップＳ１０）。タイマー予約が満杯のときには、「予約満杯」を発声する（ステップＳ１１）。タイマー予約が満杯でないときには、無局のチャンネルを指定しているかどうかを判断する（ステップＳ１２）。この判断は、テレビ録画に使用するチャンネル（ビデオ用のチャンネル）番号と受信チャンネルの設定状況に基づいて行うことができる。無局のチャンネル（番号）を指定している場合は、「予約チャンネル間違い」を発声する（ステップＳ１３）。無局のチャンネルを指定していない場合は、時計設定が未実施かどうかを判断する（ステップＳ１４）。時計設定が未実施の場合は、「時刻設定願います」を発声する（ステップＳ１５）。時計設定が実施されている場合は発声せずに通常処理に戻る。
【００２６】
図５に示すように、タイマー予約の設定操作が完了すると（ステップＳ１６）、プレーヤ内にカセットテープが挿入されているかどうかを判断する（ステップＳ１７）。カセットテープが挿入されていない場合は、「カセット未挿入」を発声する（ステップＳ１８）。カセットテープが挿入されている場合は、爪が折れているかどうかを判断する（ステップＳ１９）。爪が折れている場合は、「カセット確認」を発声する（ステップＳ２０）。爪が折れていない場合は、テープエンドかどうかを判断する（ステップＳ２１）。テープエンドの場合は、「カセット確認」を発声する（ステップＳ２２）。テープエンドでない場合は、テープ残量不足かどうかを判断する（ステップＳ２３）。テープ残量不足の場合は、「録画時間不足」を発声する（ステップＳ２４）。テープ残量不足でない場合は、発声せずに通常処理に戻る。
【００２７】
図６に示すように、電源ＯＮ時又は再生中において（ステップＳ２５）、タイマー予約実行５分前かどうかを判断する（ステップＳ２６）。タイマー予約実行５分前でなければ発声せずに通常処理に戻る。タイマー予約実行５分前になると、
「予約録画開始前」を発声する（ステップＳ２７）。次に、プレーヤ内にカセットテープが挿入されているかどうかを判断する（ステップＳ２８）。カセットテープが挿入されていない場合は、「カセット未挿入」を発声する（ステップＳ２９）。カセットテープが挿入されている場合は、爪が折れているかどうかを判断する（ステップＳ３０）。爪が折れている場合は、「カセット確認」を発声する（ステップＳ３１）。爪が折れていない場合は発声せずに通常処理に戻る。
【００２８】
次に、図７乃至図１０のフローチャートに基づいて無信号情報による音声ガイド処理を説明していく。
【００２９】
図７に示すように、ビデオテープレコーダの例えば据え付け時に行う受信チャンネル設定（ステップＳ３２）の後、或るチャンネルが指定されると（ステップＳ３３）、当該チャンネルにおいて映像信号が受信されているかどうか（無信号かどうか）を検出する（ステップＳ３４）。映像信号が受信されていない場合は、「現在無信号」を発声する（ステップＳ３５）。映像信号が受信されている場合は発声せずに通常処理に戻る。
【００３０】
図８に示すように、記録・再生を行わないいわゆるＥＥモードでチャンネル入力からライン入力の切り換え又はライン入力からチャンネル入力の切り換えが行われると（ステップＳ３６）、そのチャンネルにおいて映像信号が受信されているか或いはそのラインにおいて映像信号が供給されてきているかどうか（無信号かどうか）を検出する（ステップＳ３７）。映像信号が検出されない場合は、「無信号」を発声する（ステップＳ３８）。映像信号が検出された場合は発声せずに通常処理に戻る。
【００３１】
図９に示すように、記録状態において（ステップＳ３９）、記録されるべき映像信号の有無（無信号かどうか）を検出する（ステップＳ４０）。映像信号無しの場合は、「無信号」を発声する（ステップＳ４１）。映像信号有りの場合は発声せずに通常処理に戻る。
【００３２】
図１０に示すように、再生状態において（ステップＳ４２）、再生映像信号の有無（無信号かどうか）を検出する（ステップＳ４３）。映像信号無しの場合は、「無信号」を発声する（ステップＳ４４）。映像信号有りの場合は発声せずに通常処理に戻る。
【００３３】
次に、図１１乃至図１５のフローチャートに基づいてその他の情報による音声ガイド処理を説明していく。
【００３４】
図１１に示すように、本体側で設定されているリモコンコードとリモコン側での設定とが相違するかどうかを検出する（ステップＳ４５，ステップＳ４６）。即ち、“１”と“２”の設定があり、本体側の設定が例えば“１”であるのにリモコン側が“２”の設定になっている場合がある。例えば、リモコン側から何らかの信号が来ているのにその信号がどの命令にも該当しない場合などにリモコンコード相違と判断することができる。リモコンコードが相違する場合には、「リモコンコード確認」を発声する（ステップＳ４７）。相違していない場合には発声せずに通常処理に戻る。
【００３５】
図１２に示すように、アンテナ接続確認処理において（ステップＳ４８）、ＢＳアンテナが短絡しているかどうかを判断する（ステップＳ４９）。ＢＳアンテナには電源を備えないコンバータが内蔵されており、このコンバータにはアンテナケーブルを使って駆動電流が供給される。そして、上記アンテナケーブルには電流検出回路が接続されており、アンテナケーブルが短絡（ショート）すると、上記の電流検出回路によってＢＳアンテナ短絡を検出することができる。この電流検出回路からの検出信号を受け取ると、「ＢＳアンテナ短絡の可能性」を発声する（ステップＳ５０）。
【００３６】
図１３に示すように、リモコン操作が行われると（ステップＳ５１）、リモコン電池が消耗しているかどうかを判断する（ステップＳ５２）。この判断は例えばリモコン側から送出された信号のレベルが基準レベルより下かどうかによって判断することができる。電池が消耗していると判断したとき、「リモコン電池消耗」を発声する（ステップＳ５３）。電池が消耗していないと判断した場合は発声せずに通常処理に戻る。
【００３７】
図１４に示すように、停電復帰時又は再電源ＯＮ時（コンセントを抜かれて再び差し込まれたとき）において（ステップＳ５４）、時計設定がクリアされたかどうかを判断する（ステップＳ５５）。時計設定がクリアされている場合は、「時刻設定願います」を発声する。時計設定がクリアされなかった場合は発声せずに通常処理に戻る。
【００３８】
図１５に示すように、再生映像信号に基づいてヘッドが汚れているかどうかを検出する（ステップＳ５７，ステップＳ５８）。このヘッドの汚れ検出は、例えば再生映像信号の振幅（エンベロープレベル）が基準レベルより下かどうかによって判断することができる。ヘッドが汚れていると判断したとき、「ヘッド汚れの可能性」を発声する（ステップＳ５９）。ヘッドが汚れていないと判断したときは発声せずに通常処理に戻る。
【００３９】
以上説明したように、ビデオテープレコーダの動作に関するメッセージが適宜ユーザーに与えられるので、ビデオテープレコーダの操作に不慣れなユーザーでも所望の操作が誤りなく行える。特に、ビデオテープレコーダの動作に関するメッセージのなかでも、ビデオテープレコーダを使用する上でユーザーが陥りやすい誤操作に対して適正な操作を促すメッセージや、ユーザーが故障と誤って思い込むような状態とその原因が知らされるメッセージは、ユーザーにとても有益となる。そして、文字表示ではなくて音声であるから、モニターの画面表示の機能によらずにメッセージをユーザーに伝えることができ、メッセージ取得のために一々モニターをＯＮするといった煩わしさがなくなる。
【００４０】
次に、図１６のフローチャートに基づき、音声ガイドの有効／無効処理について説明する。音声ガイド設定においてＯＮ／ＯＦＦどちらが指定されたかを判断する（ステップＳ６０，ステップＳ６１）、ＯＮ指定の場合には、ＯＮ／ＯＦＦ制御部１は音声合成制御部２からの音声合成データを音声合成ＩＣ１４に供給する状態となる（ステップＳ６２）、ＯＦＦ指定の場合には、ＯＮ／ＯＦＦ制御部１は音声合成制御部２からの音声合成データを音声合成ＩＣ１４に供給しない状態となる（ステップＳ６３）。
【００４１】
このように、音声ガイドの有効／無効を選択できるので、音声ガイドが煩わしいと思うユーザーは、例えばリモコン操作によって音声ガイドを無効にすることができる。なお、モニターがＯＦＦされているときには音声ガイドを行い、モニターがＯＮされているときには文字メッセージによるガイドを行うといった制御を採用してもよい。モニターのＯＮ／ＯＦＦ判断は、テレビと独立しているビデオテープレコーダについては、その判断のための構成が必要となるが、ビデオテープレコーダ付テレビについては特別な構造なしに簡単に行える。
【００４２】
次に、図１７及び図１８に基づき、ビデオテープレコーダの故障等の判断に役立つ構成について説明する。図１７のブロック図に示すように、マイクロコンピュータ２０は、ビデオテープレコーダが受け付けたモード（録画、再生、タイマー録画等）についての情報、及びそのモードの正常移行／移行不可についての情報を記憶制御部１７に与える。例えば、モードについての情報を３ビットとし、モードの正常移行／移行不可についての情報を１ビットとすれば、一つの情報セットは４ビットとなる。一例として、上位３ビット“０００”が録画を示すものとし、下位１ビットが“１”のとき正常移行、“０”のとき移行不可を示すものとすれば、「録画」＋「正常移行」は“０００１”として表される。記憶制御部１７は、受け取った情報セットを履歴記憶部１８に記憶させる。
【００４３】
履歴記憶部１８は、例えばＮ個（例えば１０個）の情報セットを記憶するシフトレジスタ等を用いて構成されている。この履歴記憶部１８は、既に１０個の情報セットを記憶している場合において、新たな情報セットが入力されたときにはこの新たな情報セットを記憶し、最も古い情報セットを消失させるように構成されていてもよい。或いは、記憶制御部１７の処理により、例えば移行不可が連続して生じた場合にそのときの操作内容及びその前の操作内容を保持すべく、その後の記憶を中止させる制御、更には、この中止後に正常移行が検出されたときには通常の記憶処理に復帰する制御を行うようにしてもよい。なお、Ｎは固定でもよいし、ユーザー側で設定できるようにしてもよい。
【００４４】
また、記憶制御部１７は、マイクロコンピュータ２０から読出指令を受け取ると、履歴記憶部１８から例えば古いもの順に情報セットを読み出し、この情報セットをメッセージ判別部３に与える。ここで、メッセージ判別部３は、「録画」、
「再生」等のモード名、及び「正常移行」や「移行不可」の結果を発声させる音声メッセージも用意しているとする。メッセージ判別部３は、前述した４ビットの情報セット“０００１”を記憶制御部１７から受け取ったときには、「録画」と「正常移行」の音声メッセージを選択する。この選択された音声メッセージを成す編集データが音声合成制御部２によって出力され、音声合成ＩＣ１４を経て音声信号となり、アンプ１５、及びスピーカ１６によって、「録画正常移行」が発声されることになる。
【００４５】
次に、図１８のフローチャートに基づき、記憶制御部１７が行う一連の処理について簡単に説明する。まず、モード（録画、再生、タイマー録画等）についての情報、及びそのモードの正常移行／移行不可についての情報を受け取り（ステップＳ７０，Ｓ７１）、この情報の記憶処理を行う（ステップＳ７２）。次に、履歴内容の読出指令の有無を判断し（ステップＳ７３）、読出指令があったなら履歴記憶部１８から情報を読み出す（ステップＳ７４）。なお、読出指令は、リモコン等による読出キーの操作をマイクロコンピュータ２０が判断し、このマイクロコンピュータ２０が記憶制御部１７に伝える。
【００４６】
このような構成であれば、ビデオテープレコーダの動作に関して過去の幾つかの情報がその前後関係を明らかにされて音声により提示されるので、過去にどのような操作が行われたか、或いはどのような操作が行われた段階で不具合が生じたか等が分かり、故障の原因を知り得る。
【００４７】
また、故障と思われても実際には故障ではなかったといったことも分かる可能性がある。例えば、「録画  正常移行」→「テープ取出  移行不可」のように履歴情報が提示されたのであれば、テープが取り出せなかったのは、故障ではなく、
録画状態であったからであることが分かる。
【００４８】
なお、履歴情報の提示を音声メッセージにより行ったが、オンスクリーンディスプレイ機能を用い、モニター画面上に履歴を示す文字情報を表示してもよいものであり、更には、モニターがＯＦＦされているときには音声メッセージによる履歴情報提示を行い、モニターがＯＮされているときには文字メッセージによる履歴情報提示を行うといった制御を採用してもよいものである。
【００４９】
【発明の効果】
以上説明したように、この発明によれば、ビデオテープレコーダの動作に関するメッセージがユーザーに与えられるので、操作に不慣れなユーザーでも所望の操作が誤りなく行えることになる。そして、文字表示ではなくて音声ガイドであるから、モニターの画面表示の機能によらずにメッセージをユーザーに伝えることができ、メッセージ取得のために一々モニターをＯＮするといった煩わしさがなくなるという利点がある。
【００５０】
また、ユーザーから指令された操作を実行する上で障害となる事項に関して音声ガイドする構成、或いは映像信号の有無情報を取得して音声ガイドする構成であれば、ユーザーは所望の操作をより適切に行うことができる。
【００５１】
音声メッセージデータによる音声発生の有効／無効を制御する制御手段を備えた構成であれば、音声が煩わしいと思うような場合に音声発生を無効とすることができる。
【００５２】
モニターがＯＦＦされているときに音声メッセージデータによる音声発生を有効にする構成であれば、モニターがＯＦＦされているときには音声メッセージによるガイドを行い、モニターがＯＮされているときには文字メッセージによるガイドを行うといった制御が可能になる。
【００５３】
ビデオテープレコーダの動作情報を取得し、当該情報をその取得順が分かるようにしてユーザーに音声等で伝える構成であれば、過去にどのような操作が行われたかや、どのような操作が行われた段階で不具合が生じたか等が分かり、故障の原因を知り得たり、或いは故障と思われても実際には故障ではなかったといったことも分かる等の利点がある。
【図面の簡単な説明】
【図１】この発明の実施形態の操作ガイド装置が組み込まれたビデオテープレコーダにおけるマイクロコンピュータの処理機能をブロック化して示す説明図である。
【図２】障害検査情報による音声ガイド処理の一例を示したフローチャートである。
【図３】障害検査情報による音声ガイド処理の一例を示したフローチャートである。
【図４】障害検査情報による音声ガイド処理の一例を示したフローチャートである。
【図５】障害検査情報による音声ガイド処理の一例を示したフローチャートである。
【図６】障害検査情報による音声ガイド処理の一例を示したフローチャートである。
【図７】無信号情報による音声ガイド処理の一例を示したフローチャートである。
【図８】無信号情報による音声ガイド処理の一例を示したフローチャートである。
【図９】無信号情報による音声ガイド処理の一例を示したフローチャートである。
【図１０】無信号情報による音声ガイド処理の一例を示したフローチャートである。
【図１１】その他の情報による音声ガイド処理の一例を示したフローチャートである。
【図１２】その他の情報による音声ガイド処理の一例を示したフローチャートである。
【図１３】その他の情報による音声ガイド処理の一例を示したフローチャートである。
【図１４】その他の情報による音声ガイド処理の一例を示したフローチャートである。
【図１５】その他の情報による音声ガイド処理の一例を示したフローチャートである。
【図１６】音声ガイドの有効／無効処理を示すフローチャートである。
【図１７】この発明の実施形態を示す図であって、ビデオテープレコーダの故障等の判断に役立つ構成を示した説明図である。
【図１８】図１７の記憶制御部の制御内容を示したフローチャートである。
【符号の説明】
１    ＯＮ／ＯＦＦ制御部
２    音声合成制御部
３    音声メッセージ判別部
４    無信号検出部
５    ヘッド汚れ判別部
６    テープ検出部
７    モード判別部
８    電源ＯＮ／ＯＦＦ判別部
９    タイマー予約処理部
１０  リモコン処理部
１１  ＢＳアンテナ短絡判別部
１２  停電処理部
１３  テープ残量判別部
１４  音声合成ＩＣ
１５  アンプ
１６  スピーカ
１７  記憶制御部
１８  履歴記憶部
【図１】
0003583953.tif 000002
【図２】
0003583953.tif 000003
【図３】
0003583953.tif 000004
【図４】
0003583953.tif 000005
【図５】
0003583953.tif 000006
【図６】
0003583953.tif 000007
【図７】
0003583953.tif 000008
【図８】
0003583953.tif 000009
【図９】
0003583953.tif 000010
【図１０】
0003583953.tif 000011
【図１１】
0003583953.tif 000012
【図１２】
0003583953.tif 000013
【図１３】
0003583953.tif 000014
【図１４】
0003583953.tif 000015
【図１５】
0003583953.tif 000016
【図１６】
0003583953.tif 000017
【図１７】
0003583953.tif 000018
【図１８】
0003583953.tif 000019